(57)【特許請求の範囲】
【請求項１】
光軸方向の第一の位置と第二の位置の間の範囲で主点の位置を変更可能なフォーカスレンズを含む撮像光学系を通して被写体を撮像する撮像素子と、
前記範囲の少なくとも一部の範囲である移動範囲に設定した複数の撮像位置の各々に前記フォーカスレンズの主点を合わせた状態で前記撮像素子により前記撮像光学系を通して被写体を撮像する撮像制御を複数回続けて行う撮像制御部と、を備え、
前記撮像制御部は、前記複数回の撮像制御のうち時系列で後に実施するものほど、前記複数の撮像位置同士の間隔を狭く、且つ、前記複数の撮像位置の数を多く設定する撮像装置。
【請求項２】
請求項１記載の撮像装置であって、
前記複数の撮像位置は、第一の撮像位置と、第二の撮像位置と、前記第一の撮像位置と前記第二の撮像位置の間の少なくとも１つの第三の撮像位置であり、
前記撮像制御部は、前記撮像制御を実施する場合に、前記第三の撮像位置に前記フォーカスレンズの主点を合わせて前記撮像素子により最初の撮像を行い、その後は、前記第三の撮像位置よりも前記第一の撮像位置側に設定された撮像位置と、前記第三の撮像位置よりも前記第二の撮像位置側に設定された撮像位置とで交互に前記フォーカスレンズの主点を合わせながら撮像を行う撮像装置。
【請求項３】
請求項２記載の撮像装置であって、
前記撮像制御部は、前記撮像制御を実施する場合に、前記最初の撮像を行った後、前記第一の撮像位置に前記フォーカスレンズの主点を合わせて前記撮像素子により２回目の撮像を行い、その後、前記第二の撮像位置に前記フォーカスレンズの主点を合わせて前記撮像素子により３回目の撮像を行い、その後は、前記第三の撮像位置よりも前記第一の位置側に設定された撮像位置と、前記第三の撮像位置よりも前記第二の位置側に設定された撮像位置とで交互に前記フォーカスレンズの主点を合わせながら撮像を行う撮像装置。
【請求項４】
請求項１〜３のいずれか１項記載の撮像装置であって、
前記撮像光学系は絞りを含み、
前記撮像制御部は、前記複数の撮像位置同士の間隔が狭いほど前記絞りのＦ値を小さくして前記被写体の撮像を行う撮像装置。
【請求項５】
請求項１〜４のいずれか１項記載の撮像装置であって、
前記撮像制御によって得られる撮像画像データに基づいて撮像中の被写体の動きを検出する動き検出部を更に備え、
前記撮像制御部は、前記動き検出部によって被写体の動きが検出された場合に前記撮像制御を終了する撮像装置。
【請求項６】
請求項１〜５のいずれか１項記載の撮像装置であって、
前記撮像制御が実施されている場合に、前記撮像制御部が設定している前記複数の撮像位置に基づく情報を表示部に表示させる表示制御部を更に備える撮像装置。
【請求項７】
請求項１〜６のいずれか１項記載の撮像装置であって、
完了済みの前記撮像制御のうち前記複数の撮像位置同士の間隔が最も狭い前記撮像制御により得られた撮像画像データを記憶媒体に記憶する記憶制御部を更に備える撮像装置。
【請求項８】
請求項１〜６のいずれか１項記載の撮像装置であって、
前記撮像制御により得られた全ての撮像画像データを記憶媒体に記憶する記憶制御部を更に備える撮像装置。
【請求項９】
請求項８記載の撮像装置であって、
前記全ての前記撮像画像データを合成して、深度合成された画像データを生成する画像処理部を更に備える撮像装置。
【請求項１０】
請求項８又は９記載の撮像装置であって、
前記複数回の撮像制御の各々において前記移動範囲に設定される前記撮像位置は全て異なる撮像装置。
【請求項１１】
光軸方向の第一の位置と第二の位置の間の範囲で主点の位置を変更可能なフォーカスレンズを含む撮像光学系を通して被写体を撮像する撮像素子を用いた撮像方法であって、
前記範囲の少なくとも一部の範囲である移動範囲に設定した複数の撮像位置の各々に前記フォーカスレンズの主点を合わせた状態で前記撮像素子により前記撮像光学系を通して被写体を撮像する撮像制御を複数回続けて行う撮像制御ステップを備え、
前記撮像制御ステップでは、前記複数回の撮像制御のうち時系列で後に実施するものほど、前記複数の撮像位置同士の間隔を狭く、且つ、前記複数の撮像位置の数を多く設定する撮像方法。
【請求項１２】
請求項１１記載の撮像方法であって、
前記複数の撮像位置は、第一の撮像位置と、第二の撮像位置と、前記第一の撮像位置と前記第二の撮像位置の間の少なくとも１つの第三の撮像位置であり、
前記撮像制御ステップでは、前記撮像制御を実施する場合に、前記第三の撮像位置に前記フォーカスレンズの主点を合わせて前記撮像素子により最初の撮像を行い、その後は、前記第三の撮像位置よりも前記第一の撮像位置側に設定された撮像位置と、前記第三の撮像位置よりも前記第二の撮像位置側に設定された撮像位置とで交互に前記フォーカスレンズの主点を合わせながら撮像を行う撮像方法。
【請求項１３】
請求項１２記載の撮像方法であって、
前記撮像制御ステップでは、前記撮像制御を実施する場合に、前記最初の撮像を行った後、前記第一の撮像位置に前記フォーカスレンズの主点を合わせて前記撮像素子により２回目の撮像を行い、その後、前記第二の撮像位置に前記フォーカスレンズの主点を合わせて前記撮像素子により３回目の撮像を行い、その後は、前記第三の撮像位置よりも前記第一の位置側に設定された撮像位置と、前記第三の撮像位置よりも前記第二の位置側に設定された撮像位置とで交互に前記フォーカスレンズの主点を合わせながら撮像を行う撮像方法。
【請求項１４】
請求項１１〜１３のいずれか１項記載の撮像方法であって、
前記撮像光学系は絞りを含み、
前記撮像制御ステップでは、前記複数の撮像位置同士の間隔が狭いほど前記絞りのＦ値を小さくして前記被写体の撮像を行う撮像方法。
【請求項１５】
請求項１１〜１４のいずれか１項記載の撮像方法であって、
前記撮像制御によって得られる撮像画像データに基づいて撮像中の被写体の動きを検出する動き検出ステップを更に備え、
前記撮像制御ステップでは、前記動き検出ステップによって被写体の動きが検出された場合に前記撮像制御を終了する撮像方法。
【請求項１６】
請求項１１〜１５のいずれか１項記載の撮像方法であって、
前記撮像制御が実施されている場合に、前記撮像制御ステップで設定している前記複数の撮像位置に基づく情報を表示部に表示させる表示制御ステップを更に備える撮像方法。
【請求項１７】
請求項１１〜１６のいずれか１項記載の撮像方法であって、
完了済みの前記撮像制御のうち前記複数の撮像位置同士の間隔が最も狭い前記撮像制御により得られた撮像画像データを記憶媒体に記憶する記憶制御ステップを更に備える撮像方法。
【請求項１８】
請求項１１〜１６のいずれか１項記載の撮像方法であって、
前記撮像制御により得られた全ての撮像画像データを記憶媒体に記憶する記憶制御ステップを更に備える撮像方法。
【請求項１９】
請求項１８記載の撮像方法であって、
前記全ての前記撮像画像データを合成して、深度合成された画像データを生成する画像処理ステップを更に備える撮像方法。
【請求項２０】
請求項１８又は１９記載の撮像方法であって、
前記複数回の撮像制御の各々において前記移動範囲に設定される前記撮像位置は全て異なる撮像方法。
【請求項２１】
光軸方向の第一の位置と第二の位置の間の範囲で主点の位置を変更可能なフォーカスレンズを含む撮像光学系を通して被写体を撮像する撮像素子を用いた撮像方法をコンピュータに実行させるための撮像プログラムであって、
前記撮像方法は、前記範囲の少なくとも一部の範囲である移動範囲に設定した複数の撮像位置の各々に前記フォーカスレンズの主点を合わせた状態で前記撮像素子により前記撮像光学系を通して被写体を撮像する撮像制御を複数回続けて行う撮像制御ステップを備え、
前記撮像制御ステップでは、前記複数回の撮像制御のうち時系列で後に実施するものほど、前記複数の撮像位置同士の間隔を狭く、且つ、前記複数の撮像位置の数を多く設定する撮像プログラム。
【発明の詳細な説明】
【技術分野】
【０００１】
本発明は、撮像装置、撮像方法、及び撮像プログラムに関する。
【背景技術】
【０００２】
ＣＣＤ（Ｃｈａｒｇｅ  Ｃｏｕｐｌｅｄ  Ｄｅｖｉｃｅ）イメージセンサ又はＣＭＯＳ（Ｃｏｍｐｌｅｍｅｎｔａｒｙ  Ｍｅｔａｌ  ＯＸｉｄｅ  Ｓｅｍｉｃｏｎｄｕｃｔｏｒ）イメージセンサ等の撮像素子の高解像度化に伴い、デジタルスチルカメラ、デジタルビデオカメラ、スマートフォン等の携帯電話機、又はタブレット端末等の撮像機能を有する情報機器の需要が急増している。なお、以上のような撮像機能を有する情報機器を撮像装置と称する。【０００３】
このような撮像装置には撮像モードとしてフォーカスブラケットモードを有するものがある。【０００４】
フォーカスブラケットモードは、フォーカスレンズを所定範囲内で連続的に移動させながらフォーカスレンズが各撮像位置にある状態で撮像を行い、各撮像によって得られた撮像画像データを記憶することで、主要被写体の全体に焦点の合った撮像画像の生成を可能にする機能である。【０００５】
特許文献１及び特許文献２には、フォーカスブラケットモードにおける連続撮像の行われる期間中にフォーカスレンズの移動間隔を可変制御する撮像装置が記載されている。【０００６】
特許文献３には、フォーカスブラケットモードにおけるフォーカスレンズの移動間隔を、コントラストＡＦ（Ａｕｔｏ  Ｆｏｃｕｓ）方式により求まる合焦評価値に基づいて事前に決定する撮像装置が記載されている。
【先行技術文献】
【特許文献】
【０００７】
【特許文献１】日本国特開２０１０−１２８０１８号公報
【特許文献２】日本国特開２０１６−２０８２６８号公報
【特許文献３】日本国特開２０１２−１０３７２２号公報
【発明の概要】
【発明が解決しようとする課題】
【０００８】
フォーカスブラケットモードは、合焦対象の主要被写体として例えば昆虫又は花等を撮像する場合に多く利用される。【０００９】
しかし、フォーカスブラケットモードにおける連続撮像の行われている期間中に、主要被写体である昆虫が動き出したり、主要被写体である花が風によって大きく揺れたりすると、撮像失敗となり、撮像のやり直しが必要となる。【００１０】
昆虫を撮像する場合には、昆虫が動き出してどこかに逃げてしまうと、撮像のやり直し自体ができなくなる。【００１１】
この連続撮像時の撮像回数を極力減らして連続撮像の行われる時間を短くすれば、主要被写体の動く前（昆虫が逃げる前）に連続撮像が終わる確率を高めることができる。しかし、撮像回数が少なくなると、主要被写体の解像感を十分に得られない場合がある。【００１２】
十分な解像感を得るには撮像回数を増やすことが有効となるが、撮像回数が増えるということは、連続撮像が終了するまでの時間が長くなることを意味する。このため、連続撮像が行われる間に主要被写体が動く確率が高まり撮像失敗のリスクがある。【００１３】
特許文献１〜３は、連続撮像が終了する前に主要被写体が動いてしまった場合の撮像失敗のリスク対応については考慮していない。【００１４】
本発明は、上記事情に鑑みてなされたものであり、フォーカスブラケットモードでの撮像失敗の可能性を減らすことのできる撮像装置、撮像方法、及び撮像プログラムを提供することを目的とする。
【課題を解決するための手段】
【００１５】
本発明の撮像装置は、光軸方向の第一の位置と第二の位置の間の範囲で主点の位置を変更可能なフォーカスレンズを含む撮像光学系を通して被写体を撮像する撮像素子と、上記範囲の少なくとも一部の範囲である移動範囲に設定した複数の撮像位置の各々に上記フォーカスレンズの主点を合わせた状態で上記撮像素子により上記撮像光学系を通して被写体を撮像する撮像制御を複数回続けて行う撮像制御部と、を備え、上記撮像制御部は、上記複数回の撮像制御のうち時系列で後に実施するものほど、上記複数の撮像位置同士の間隔を狭くするものである。【００１６】
本発明の撮像方法は、光軸方向の第一の位置と第二の位置の間の範囲で主点の位置を変更可能なフォーカスレンズを含む撮像光学系を通して被写体を撮像する撮像素子を用いた撮像方法であって、上記範囲の少なくとも一部の範囲である移動範囲に設定した複数の撮像位置の各々に上記フォーカスレンズの主点を合わせた状態で上記撮像素子により上記撮像光学系を通して被写体を撮像する撮像制御を複数回続けて行う撮像制御ステップを備え、上記撮像制御ステップでは、上記複数回の撮像制御のうち時系列で後に実施するものほど、上記複数の撮像位置同士の間隔を狭くするものである。【００１７】
本発明の撮像プログラムは、光軸方向の第一の位置と第二の位置の間の範囲で主点の位置を変更可能なフォーカスレンズを含む撮像光学系を通して被写体を撮像する撮像素子を用いた撮像方法をコンピュータに実行させるための撮像プログラムであって、上記撮像方法は、上記範囲の少なくとも一部の範囲である移動範囲に設定した複数の撮像位置の各々に上記フォーカスレンズの主点を合わせた状態で上記撮像素子により上記撮像光学系を通して被写体を撮像する撮像制御を複数回続けて行う撮像制御ステップを備え、上記撮像制御ステップでは、上記複数回の撮像制御のうち時系列で後に実施するものほど、上記複数の撮像位置同士の間隔を狭くするものである。
【発明の効果】
【００１８】
本発明によれば、フォーカスブラケットモードでの撮像失敗の可能性を減らすことのできる撮像装置、撮像方法、及び撮像プログラムを提供することができる。
【図面の簡単な説明】
【００１９】
【図１】本発明の撮像装置の一実施形態であるデジタルカメラ１００の概略構成を示す図である。
【図２】図１に示すデジタルカメラ１００の機能ブロック図である。
【図３】フォーカスレンズの可動範囲とブラケット撮像制御において決められる移動範囲との関係を示す模式図である。
【図４】移動範囲における撮像位置の設定パターンの例を示す図である。
【図５】移動範囲における撮像位置の設定パターンの例を示す図である。
【図６】移動範囲における撮像位置の設定パターンの例を示す図である。
【図７】図１に示すデジタルカメラ１００のフォーカスブラケットモード時の撮像動作を説明するためのフローチャートである。
【図８】図１に示すデジタルカメラ１００の機能ブロックの変形例を示す図である。
【図９】図８に示すデジタルカメラ１００のフォーカスブラケットモード時の撮像動作を説明するためのフローチャートである。
【図１０】ブラケット撮像制御を行っている間のフォーカスレンズの移動方法の一例を示す図である。
【図１１】ブラケット撮像制御を行っている間のフォーカスレンズの移動方法の別の例を示す図である。
【図１２】図１に示すデジタルカメラ１００の機能ブロックの変形例を示す図である。
【図１３】図１２に示す表示制御部１１Ｄの制御によって表示部２３に表示された情報の一例を示す図である。
【図１４】図１２に示す表示制御部１１Ｄの制御によって表示部２３に表示された情報の一例を示す図である。
【図１５】本発明の撮影装置の一実施形態であるスマートフォン２００の外観を示すものである。
【図１６】図１５に示すスマートフォン２００の構成を示すブロック図である。
【発明を実施するための形態】
【００２０】
以下、本発明の実施形態について図面を参照して説明する。
【００２１】
図１は、本発明の撮像装置の一実施形態であるデジタルカメラ１００の概略構成を示す図である。
【００２２】
図１に示すデジタルカメラは、撮像レンズ１と、絞り２と、レンズ制御部４と、レンズ駆動部８と、絞り駆動部９と、を有するレンズ装置４０を備える。
【００２３】
レンズ装置４０は、デジタルカメラ１００に着脱可能なものであってもよいし、デジタルカメラ１００と一体化されたものであってもよい。
【００２４】
撮像レンズ１と絞り２は撮像光学系を構成し、撮像光学系は光軸方向に移動可能なフォーカスレンズを少なくとも含む。
【００２５】
このフォーカスレンズは、撮像光学系の焦点を調節するためのレンズであり、単一のレンズ又は複数のレンズで構成される。フォーカスレンズが光軸方向に移動することで、フォーカスレンズの主点の位置が光軸方向に沿って変化し、被写体側の焦点位置の変更が行われる。
【００２６】
このフォーカスレンズは、その光軸方向において第一の位置と第二の位置の間の範囲（以下、可動範囲という）で主点の位置を変更可能である。第一の位置は、第二の位置よりも被写体側に近い位置である。
【００２７】
なお、フォーカスレンズとしては、電気的な制御により、光軸方向の主点の位置を第一の位置と第二の位置の間の範囲で変更可能な液体レンズが用いられてもよい。
【００２８】
レンズ装置４０のレンズ制御部４は、デジタルカメラ１００のシステム制御部１１と有線又は無線によって通信可能に構成される。
【００２９】
レンズ制御部４は、システム制御部１１からの指令にしたがい、レンズ駆動部８を介して撮像レンズ１に含まれるフォーカスレンズを駆動してフォーカスレンズの主点の位置を変更したり、絞り駆動部９を介して絞り２の開口量を制御したりする。
【００３０】
デジタルカメラ１００は、更に、撮像光学系を通して被写体を撮像するＣＣＤ型イメージセンサ又はＣＭＯＳ型イメージセンサ等の撮像素子５と、撮像素子５の出力に接続された相関二重サンプリング処理等のアナログ信号処理を行うアナログ信号処理部６と、アナログ信号処理部６から出力されるアナログ信号をデジタル信号に変換するアナログデジタル変換回路７と、を備える。
【００３１】
アナログ信号処理部６及びアナログデジタル変換回路７は、システム制御部１１によって制御される。
【００３２】
撮像素子５は、複数の画素が二次元状に配置された撮像面を有し、撮像光学系によってこの撮像面に結像される被写体像をこの複数の画素によって電気信号（画素信号）に変換して出力する。撮像素子５の各画素から出力される画素信号の集合を以下では撮像画像信号という。
【００３３】
デジタルカメラ１００の電気制御系全体を統括制御するシステム制御部１１は、撮像素子駆動部１０を介して撮像素子５を駆動し、レンズ装置４０の撮像光学系を通して撮像した被写体像を撮像画像信号として出力させる。
【００３４】
システム制御部１１には、操作部１４を通してユーザからの指示信号が入力される。
【００３５】
システム制御部１１は、デジタルカメラ１００全体を統括制御するものであり、ハードウェア的な構造は、撮像プログラムを含むプログラムを実行して処理を行う各種のプロセッサである。
【００３６】
各種のプロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【００３７】
これら各種のプロセッサの構造は、より具体的には、半導体素子等の回路素子を組み合わせた電気回路である。
【００３８】
システム制御部１１は、各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００３９】
更に、このデジタルカメラ１００の電気制御系は、ＲＡＭ（Ｒａｎｄｏｍ  Ａｃｃｓｅｓｓ  Ｍｅｍｏｒｙ）から構成されるメインメモリ１６と、メインメモリ１６へのデータ記憶及びメインメモリ１６からのデータ読み出しの制御を行うメモリ制御部１５と、アナログデジタル変換回路７から出力される撮像画像信号に対しデジタル信号処理を行ってＪＰＥＧ（Ｊｏｉｎｔ  Ｐｈｏｔｏｇｒａｐｈｉｃ  Ｅｘｐｅｒｔｓ  Ｇｒｏｕｐ）形式等の各種フォーマットにしたがった撮像画像データを生成するデジタル信号処理部１７と、記憶媒体２１へのデータ記憶及び記憶媒体２１からのデータ読み出しの制御を行う外部メモリ制御部２０と、有機ＥＬ（ｅｌｅｃｔｒｏｌｕｍｉｎｅｓｃｅｎｃｅ）ディスプレイ又は液晶ディスプレイ等で構成される表示部２３と、表示部２３の表示を制御する表示制御部２２と、を備える。
【００４０】
記憶媒体２１は、デジタルカメラ１００に内蔵されるフラッシュメモリ等の半導体メモリ又はデジタルカメラ１００に着脱可能な可搬型の半導体メモリ等である。
【００４１】
メモリ制御部１５、デジタル信号処理部１７、外部メモリ制御部２０、及び表示制御部２２は、制御バス２４及びデータバス２５によって相互に接続され、システム制御部１１からの指令によって制御される。
【００４２】
デジタル信号処理部１７は、ハードウェア的な構造は、プログラムを実行して処理を行う上記に例示した各種のプロセッサである。
【００４３】
図２は、図１に示すデジタルカメラ１００の機能ブロック図である。
【００４４】
デジタルカメラ１００は、機能ブロックとして、撮像制御部１１Ａと、記憶制御部１１Ｂと、画像処理部１７Ａと、を備える。
【００４５】
システム制御部１１は、撮像プログラムを含むプログラムを実行することで撮像制御部１１Ａ及び記憶制御部１１Ｂとして機能する。
【００４６】
デジタル信号処理部１７は、撮像プログラムを含むプログラムを実行することで画像処理部１７Ａとして機能する。
【００４７】
撮像制御部１１Ａは、フォーカスブラケットモードにおいて、フォーカスレンズの可動範囲の少なくとも一部の範囲である移動範囲に設定した複数の撮像位置の各々にフォーカスレンズの主点を合わせた状態で、撮像素子５により撮像光学系を通して被写体を撮像する撮像制御（以下、ブラケット撮像制御という）を複数回続けて行う。
【００４８】
画像処理部１７Ａは、ブラケット撮像制御が行われる間に撮像素子５から順次出力される撮像画像信号を処理して撮像画像データを生成し、生成した撮像画像データをメインメモリ１６に一時記憶する。
【００４９】
記憶制御部１１Ｂは、ブラケット撮像制御によってメインメモリ１６に一時記憶された撮像画像データの一部又は全部を、外部メモリ制御部２０を介して記憶媒体２１に記憶する。
【００５０】
画像処理部１７Ａは、記憶制御部１１Ｂの制御によって記憶媒体２１に記憶された撮像画像データを合成して、深度合成された合成画像データを生成し、この合成画像データを、外部メモリ制御部２０を介して記憶媒体２１に記憶する。
【００５１】
図３は、フォーカスレンズの可動範囲とブラケット撮像制御において決められる移動範囲との関係を示す模式図である。
【００５２】
前述したように、フォーカスレンズの可動範囲Ａ１は、被写体側に近い第一の位置と撮像素子５側に近い第二の位置との間の範囲である。図３には、この可動範囲Ａ１の一部の範囲である移動範囲Ａ２が例示されている。
【００５３】
移動範囲Ａ２は、フォーカスブラケットモードで撮像を行う場合に、ユーザによって予め指定される範囲である。移動範囲Ａ２は例えば次のようにしてシステム制御部１１により設定される。
【００５４】
フォーカスブラケットモードが設定されると、システム制御部１１は、撮像素子５によって撮像している被写体像のライブビュー画像を表示部２３に表示させる。
【００５５】
図３では、被写体としての昆虫Ｈを含むライブビュー画像ＬＶが表示部２３に表示された例を示している。
【００５６】
ユーザは、昆虫Ｈにおいて焦点を合わせたい範囲を、表示部２３を見ながら指定する。例えば、表示部２３がタッチパネル式のものであれば、図３に示したエリアＡＦ１とエリアＡＦ２をそれぞれ指でタッチする。
【００５７】
エリアＡＦ１とエリアＡＦ２がタッチされると、システム制御部１１は、エリアＡＦ１内の被写体に合焦させる場合のフォーカスレンズの主点位置ｘ１と、エリアＡＦ２内の被写体に合焦させる場合のフォーカスレンズの主点位置ｘ２とを求め、これら主点位置ｘ１と主点位置ｘ２の間の範囲を移動範囲Ａ２として設定する。
【００５８】
これら主点位置ｘ１及び主点位置ｘ２は、コントラストＡＦ方式又は位相差ＡＦ方式によって求めることができる。
【００５９】
なお、ここでは、移動範囲Ａ２が可動範囲Ａ１よりも狭い範囲として設定される例を示したが、可動範囲Ａ１の全部が移動範囲Ａ２として設定される場合もある。
【００６０】
撮像制御部１１Ａは、移動範囲Ａ２が設定された状態で撮像開始の指示を受けると、ブラケット撮像制御をＫ回連続して行う。Ｋは２以上の整数である。
【００６１】
このＫ回のブラケット撮像制御の各々を実行する順番には、撮像素子５によって撮像を行う回数（撮像回数）の情報が対応付けられている。
【００６２】
具体的には、ブラケット撮像制御の実行される順番が遅いものほど、撮像回数として大きな値が対応付けられている。
【００６３】
例えば、１回目に実行するブラケット撮像制御に対しては撮像回数＝３の情報が対応付けられ、２回目に実行するブラケット撮像制御に対しては撮像回数＝８の情報が対応付けられ、３回目に実行するブラケット撮像制御に対しては撮像回数＝１５の情報が対応付けられ、・・・といった具合である。
【００６４】
撮像制御部１１Ａは、ユーザによって指定された移動範囲Ａ２と、各ブラケット撮像制御の実行の順番に対応する撮像回数とに基づいて、この各ブラケット撮像制御を行う場合の移動範囲Ａ２におけるフォーカスレンズの撮像位置を設定し、その設定情報をブラケット撮像制御の順番と対応付けてメインメモリ１６に記憶する。
【００６５】
撮像制御部１１Ａによる各ブラケット撮像制御時のフォーカスレンズの撮像位置の設定方法について、以下の想定ケースを例にして説明する。
【００６６】
（想定ケース）
移動範囲Ａ２＝フォーカスレンズを駆動するモータの駆動パルス数に換算して４０パルス分
撮像開始の指示を受けて行われるブラケット撮像制御の回数Ｋ＝３
１回目のブラケット撮像制御に対応する撮像回数＝５回
２回目のブラケット撮像制御に対応する撮像回数＝８回
３回目のブラケット撮像制御に対応する撮像回数＝１４回
【００６７】
撮像制御部１１Ａは、１回目に実行するブラケット撮像制御に対しては、図４に示すように、移動範囲Ａ２に対して移動範囲Ａ２を均等に４分割する５つの撮像位置を設定する。
【００６８】
図４には、移動範囲Ａ２に５個の撮像位置（Ｐ１，Ｐ２，１ａ，２ａ，３ａ）が設定される設定パターンが示されている。これら５個の撮像位置の各々と、これに隣接する撮像位置との間の距離は全て１０パルス分となっている。
【００６９】
撮像位置Ｐ１は、移動範囲Ａ２の最も被写体側（図３に示す第一の位置側）に設定された撮像位置であり、第一の撮像位置を構成する。
【００７０】
撮像位置Ｐ２は、移動範囲Ａ２の最も撮像素子５側（図３に示す第二の位置側）に設定された撮像位置であり、第二の撮像位置を構成する。
【００７１】
撮像位置１ａ〜３ａは、撮像位置Ｐ１と撮像位置Ｐ２の間の位置であり、それぞれ第三の撮像位置を構成する。
【００７２】
撮像制御部１１Ａは、２回目に実行するブラケット撮像制御に対しては、移動範囲Ａ２内で８回の撮像が可能となるようにフォーカスレンズの移動間隔（ここでは５パルス分）を決定する。
【００７３】
そして、撮像制御部１１Ａは、図５に示すように、隣接する撮像位置の距離がこの移動間隔となるような８つの位置を撮像位置として設定する。
【００７４】
図５には、移動範囲Ａ２に８個の撮像位置（ｐ１，ｐ２，１ｂ，２ｂ，３ｂ，４ｂ，５ｂ，６ｂ）が設定される設定パターンが示されている。これら８個の撮像位置の各々と、これに隣接する撮像位置との間の距離は５パルス分となっている。
【００７５】
図５に示す撮像位置ｐ１は、図４に示す撮像位置Ｐ１と同様に最も第一の位置側の撮像位置である。
【００７６】
図５に示す撮像位置ｐ２は、図４に示す撮像位置Ｐ２と同様に最も第二の位置側の撮像位置である。
【００７７】
撮像位置１ｂ〜６ｂは、撮像位置ｐ１と撮像位置ｐ２の間の位置であり、それぞれ第三の撮像位置を構成する。
【００７８】
撮像制御部１１Ａは、３回目に実行するブラケット撮像制御に対しては、移動範囲Ａ２内で１４回の撮像が可能となるようにフォーカスレンズの移動間隔（ここでは３パルス分）を決定する。
【００７９】
そして、撮像制御部１１Ａは、図６に示すように、隣接する撮像位置の距離がこの移動間隔となるような１４個の位置を撮像位置として設定する。
【００８０】
図６には、移動範囲Ａ２に１４個の撮像位置（Ｐ１，１ｃ，２ｃ，３ｃ，４ｃ，５ｃ，６ｃ，７ｃ，８ｃ，９ｃ，１０ｃ，１１ｃ，１２ｃ，１３ｃ）が設定される設定パターンが示されている。これら１４個の撮像位置の各々と、これに隣接する撮像位置との間の距離は３パルス分となっている。
【００８１】
図６に示す撮像位置Ｐ１は、図４に示す撮像位置Ｐ１と同様に最も第一の位置側の撮像位置である。
【００８２】
図６に示す撮像位置１３ｃは、図４に示す撮像位置Ｐ２と同様に最も第二の位置側の撮像位置である。
【００８３】
撮像位置１ｃ〜１２ｃは、撮像位置Ｐ１と撮像位置１３ｃの間の位置であり、それぞれ第三の撮像位置を構成する。
【００８４】
撮像制御部１１Ａは、１回目のブラケット撮像制御を行う場合には、図４に示した５つの撮像位置にフォーカスレンズの主点を順次合わせながら５回の撮像を行う。
【００８５】
撮像制御部１１Ａは、２回目のブラケット撮像制御を行う場合には、図５に示した８つの撮像位置にフォーカスレンズの主点を順次合わせながら８回の撮像を行う。
【００８６】
撮像制御部１１Ａは、３回目のブラケット撮像制御を行う場合には、図６に示した１４個の撮像位置にフォーカスレンズの主点を順次合わせながら１４回の撮像を行う。
【００８７】
なお、Ｋ回のブラケット撮像制御のうちの最後に実行するブラケット撮像制御に対応する撮像回数の情報については、予め記憶された値ではなく、移動範囲Ａ２を示すパルス数と同じ値が用いられる構成であってもよい。
【００８８】
つまり、移動範囲Ａ２が４０パルス分であれば、Ｋ回のブラケット撮像制御のうちの最後に実施するブラケット撮像制御については、移動範囲Ａ２を均等に３９分割した位置を撮像位置として設定すればよい。
【００８９】
このように、撮像制御部１１Ａは、撮像開始の指示を受けてから実施するＫ回のブラケット撮像制御のうち、時系列で後に実施するものほど、移動範囲Ａ２に対して撮像位置同士の間隔を狭く設定し、かつ、移動範囲Ａ２に対して撮像位置の数を多く設定して連続撮像を行う。
【００９０】
図７は、図１に示すデジタルカメラ１００のフォーカスブラケットモード時の撮像動作を説明するためのフローチャートである。
【００９１】
フォーカスブラケットモードが設定され、ユーザにより移動範囲Ａ２が指定されると、撮像制御部１１Ａは、この移動範囲Ａ２と、Ｋ回のブラケット撮像制御の各々の順番に対応する撮像回数とに基づいて、各ブラケット撮像制御における撮像位置の設定情報を生成し、生成した設定情報を各ブラケット撮像制御の順番と対応付けてメインメモリ１６に記憶する。
【００９２】
そして、撮像制御部１１Ａは、システム制御部１１に内蔵されるカウンタのカウント値を確認し、カウント値が“Ｋ＋１”となっているか否かを判定する（ステップＳ１）。
【００９３】
このカウンタのカウント値は、撮像開始の指示がなされた時点では初期値の“１”になっているものとする。このカウント値は、これから実施するブラケット撮像制御の順番を示す。
【００９４】
ここでは撮像開始の指示がなされた直後であるためステップＳ１の判定はＮＯとなり、ステップＳ２の処理が行われる。
【００９５】
ステップＳ２では、撮像制御部１１Ａが、カウント値＝１（１回目のブラケット撮像制御）に対応する撮像位置の設定情報をメインメモリ１６から読み込む。
【００９６】
そして、撮像制御部１１Ａは、ステップＳ２で読み込んだ設定情報にしたがった複数の撮像位置のいずれかの撮像位置（ここでは複数の撮像位置のうちの最も第二の位置に近い撮像位置とする）にフォーカスレンズの主点を合わせる（ステップＳ３）。
【００９７】
ステップＳ３の処理でフォーカスレンズの主点が撮像位置に到達すると、撮像制御部１１Ａは、撮像素子５によって撮像を行う（ステップＳ４）。
【００９８】
画像処理部１７Ａは、この撮像によって撮像素子５から出力される撮像画像信号を処理して撮像画像データを生成し、生成した撮像画像データを現在のカウント値と対応付けてメインメモリ１６に一時記憶する。
【００９９】
ステップＳ４の後、撮像制御部１１Ａは、操作部１４から撮像終了の指示が入力されたか否かを判定する（ステップＳ５）。
【０１００】
撮像制御部１１Ａは、撮像終了の指示があった場合（ステップＳ５：ＹＥＳ）には、実行中のブラケット撮像制御を終了する（ステップＳ８）。
【０１０１】
ステップＳ８の後はステップＳ１０の処理が行われる。ユーザは、撮像中に例えば合焦対象としている被写体が動き出した場合には撮像終了の指示を行う。
【０１０２】
撮像制御部１１Ａは、撮像終了の指示がない場合（ステップＳ５：ＮＯ）には、ステップＳ２で読み込んだ設定情報にしたがった複数の撮像位置の全てにフォーカスレンズの主点がある状態で撮像を行ったか否かを判定する（ステップＳ６）。
【０１０３】
ステップＳ６の判定がＮＯである場合には、撮像制御部１１Ａは、ステップＳ２で読み込んだ設定情報にしたがってフォーカスレンズの主点を現在の撮像位置から隣の撮像位置に移動させる（ステップＳ７）。ステップＳ７の後はステップＳ４以降の処理が行われる。ステップＳ２、ステップＳ３、ステップＳ４、及びステップＳ７は撮像制御ステップを構成する。
【０１０４】
ステップＳ４とステップＳ７の処理が繰り返された結果、ステップＳ６の判定がＹＥＳになると、撮像制御部１１Ａは、カウンタのカウント値を１つ増やして（ステップＳ９）、ステップＳ１に処理を戻す。
【０１０５】
ステップＳ１においてカウント値＝Ｋ＋１になった場合（ステップＳ１：ＹＥＳ）、すなわちＫ回のブラケット撮像制御が全て完了した場合には、ステップＳ１０の処理が行われる。
【０１０６】
ステップＳ１０では、記憶制御部１１Ｂが、ステップＳ４の処理によってメインメモリ１６に一時記憶された撮像画像データの一部を読み出し、読み出した撮像画像データを、外部メモリ制御部２０を介して記憶媒体２１に記憶する。ステップＳ１０は記憶制御ステップを構成する。
【０１０７】
具体的には、記憶制御部１１Ｂは、完了済みのブラケット撮像制御によってメインメモリ１６に記憶された撮像画像データのうち、撮像位置同士の間隔が最も狭い（言い換えると、撮像位置の設定数が最も多い）ブラケット撮像制御により得られた撮像画像データを読み出して記憶媒体２１に記憶する。
【０１０８】
なお、ブラケット撮像制御が完了した状態とは、このブラケット撮像制御に対応する設定情報にしたがった全ての撮像位置にフォーカスレンズの主点を移動させた状態で撮像を行った状態を言う。
【０１０９】
例えば、撮像開始の指示が行われてから、図４に示す設定情報にしたがった１回目のブラケット撮像制御（５回の撮像）が完了して５つの撮像画像データがメインメモリ１６に記憶され、その後、図５に示す設定情報にしたがった２回目のブラケット撮像制御（８回の撮像）が完了して８つの撮像画像データがメインメモリ１６に記憶され、その後、図６に示す設定情報にしたがった３回目のブラケット撮像制御が行われている途中で撮像終了の指示がなされた場合を想定する。
【０１１０】
この場合、１回目のブラケット撮像制御によって得られた５つの撮像画像データと、２回目のブラケット撮像制御によって得られた８つの撮像画像データとが、完了済みのブラケット撮像制御によって得られた撮像画像データとなる。
【０１１１】
記憶制御部１１Ｂは、この５つの撮像画像データからなる撮像画像データ群と、この８つの撮像画像データからなる撮像画像データ群のうち、より多くの撮像を行って得られた撮像画像データ群を選択する。そして、記憶制御部１１Ｂは、選択した撮像画像データ群を記憶媒体２１に記憶する。
【０１１２】
ステップＳ１０の後、画像処理部１７Ａは、ステップＳ１０の処理で記憶媒体２１に記憶された撮像画像データ群を合成して深度合成された合成画像データを生成し、生成した合成画像データを記憶媒体２１に記憶する（ステップＳ１１）。ステップＳ１１は、画像処理ステップを構成する。
【０１１３】
合成画像データが記憶媒体２１に記憶された場合には、記憶制御部１１Ｂが、この合成画像データの生成に用いられた撮像画像データ（ステップＳ１０で記憶した撮像画像データ群）を記憶媒体２１から削除してもよい。
【０１１４】
以上のようにデジタルカメラ１００によれば、フォーカスブラケットモードにおいて、撮像開始の指示がなされてからＫ回のブラケット撮像制御が連続して行われ、Ｋ回のブラケット撮像制御のうちの後に行われるものほど、ブラケット撮像制御中の撮像位置の間隔が狭くなる。
【０１１５】
このため、撮像開始の指示がなされた初期の段階では、少ない撮像回数によってブラケット撮像制御を短時間で完了させることができる。したがって、合焦対象としている被写体が動く前に深度合成に必要な少なくとも１回のブラケット撮像制御を完了できる確率を高めることができ、撮像失敗を回避することができる。
【０１１６】
また、ブラケット撮像制御の実行回数が増えるほど、より細かいフォーカスレンズの移動間隔で連続撮像が行われることになる。このため、被写体が動かなかった場合には、多くの撮像画像データを使って深度合成を行うことが可能となり、合成画像データの解像感を向上させることができる。
【０１１７】
なお、記憶制御部１１Ｂは、図７のステップＳ１０において、メインメモリ１６に一時記憶された全ての撮像画像データを読み出して記憶媒体２１に記憶してもよい。
【０１１８】
この場合には、撮像開始の指示がなされてから得られた全ての撮像画像データを用いた深度合成が可能となるため、合成対象となる撮像画像データの数を増やすことができ、合成画像データの解像感をより向上させることができる。
【０１１９】
また、この場合には、撮像制御部１１Ａは、Ｋ回のブラケット撮像制御の各々において設定されるフォーカスレンズの撮像位置が全て異なる位置となるように、各ブラケット撮像制御に対応する設定情報を生成することが好ましい。
【０１２０】
この構成によれば、メインメモリ１６に記憶される撮像画像データは、全て異なるフォーカスレンズの主点位置で撮像されたものとなる。このため、メインメモリ１６に記憶された全ての撮像画像データを合成した場合により解像感の高い合成画像データを得ることができる。
【０１２１】
また、この場合、記憶媒体２１に複数の撮像画像データ群が記憶された場合には、画像処理部１７Ａが、この複数の撮像画像データ群の各々について個別に合成処理を行って複数の合成画像データを生成し、この複数の合成画像データを記憶媒体２１に記憶してもよい。
【０１２２】
この構成によれば、１度の指示によって解像感の異なる複数の合成画像データを記憶することが可能となる。このため、ユーザの好みに合った解像感の合成画像データを提供できる可能性を高めることができる。
【０１２３】
図８は、図１に示すデジタルカメラ１００の機能ブロックの変形例を示す図である。図８において図２と同じ構成には同一符号を付して説明を省略する。図８に示すデジタルカメラ１００のハードウェア構成は図１と同じであるため説明は省略する。
【０１２４】
図８に示すデジタルカメラ１００は、機能ブロックとして、撮像制御部１１Ａと、記憶制御部１１Ｂと、画像処理部１７Ａと、動き検出部１１Ｃと、を備える。
【０１２５】
システム制御部１１は、撮像プログラムを含むプログラムを実行することで撮像制御部１１Ａ、記憶制御部１１Ｂ、及び動き検出部１１Ｃとして機能する。
【０１２６】
動き検出部１１Ｃは、撮像制御部１１Ａによって行われるブラケット撮像制御によってメインメモリ１６に一時記憶された撮像画像データに基づいて、撮像素子５によって撮像している被写体の動きを検出する。
【０１２７】
動き検出部１１Ｃは、撮像制御部１１Ａによって行われるブラケット撮像制御によってメインメモリ１６に記憶された最新の撮像画像データと、その最新の撮像画像データの直前に記憶された撮像画像データとの比較によって撮像中の被写体に動きがあるか否かを検出する。
【０１２８】
図９は、図８に示すデジタルカメラ１００のフォーカスブラケットモード時の撮像動作を説明するためのフローチャートである。図９において図７と同じ処理には同一符号を付して説明を省略する。
【０１２９】
ステップＳ４の後、動き検出部１１Ｃは、直前のステップＳ４の撮像によってメインメモリ１６に記憶された撮像画像データと、２回前のステップＳ４の撮像によってメインメモリ１６に記憶された撮像画像データとを比較して、撮像中の被写体の動きを検出する（ステップＳ５ａ）。
【０１３０】
そして、動きが検出された場合（ステップＳ５ａ：ＹＥＳ）にはステップＳ８以降の処理が行われ、動きが検出されない場合（ステップＳ５ａ：ＮＯ）にはステップＳ６以降の処理が行われる。
【０１３１】
以上のように、図８に示すデジタルカメラ１００によれば、撮像中の被写体が動いた時点でブラケット撮像制御が自動的に終了される。このため、必要のない撮像が行われるのを防ぐことができる。
【０１３２】
また、被写体に動きがあった場合でも、その動きが検出されるまでにメインメモリ１６に記憶された撮像画像データに基づいて合成画像データの生成が可能となる。このため、撮像失敗の可能性を減らすことができる。
【０１３３】
図１及び図８に示した撮像制御部１１Ａは、ブラケット撮像制御を行っている間にフォーカスレンズの主点位置を移動範囲Ａ２内で一方向に移動させていくのではなく、移動範囲Ａ２内のある撮像位置を起点としてこの撮像位置の前後に向かって交互にフォーカスレンズの主点位置を移動させていくことが好ましい。
【０１３４】
図１０は、ブラケット撮像制御を行っている間のフォーカスレンズの主点位置の移動方法の一例を示す図である。
【０１３５】
図１０では、ブラケット撮像制御で撮像を行う撮像位置として、図５に例示された８つの撮像位置が設定されている場合のフォーカスレンズの移動例を示している。
【０１３６】
ブラケット撮像制御を開始すると、撮像制御部１１Ａは、撮像位置ｐ１と撮像位置ｐ２の間（図１０の例では撮像位置ｐ１と撮像位置ｐ２の中間）の撮像位置４ｂにフォーカスレンズの主点を移動させて撮像を行う。
【０１３７】
次に、撮像制御部１１Ａは、撮像位置４ｂにフォーカスレンズの主点がある状態から、撮像位置４ｂの第一の位置側の隣の撮像位置３ｂにフォーカスレンズの主点を移動させて撮像を行う。
【０１３８】
次に、撮像制御部１１Ａは、撮像位置３ｂにフォーカスレンズの主点がある状態から、撮像位置４ｂの第二の位置側の隣の撮像位置５ｂにフォーカスレンズの主点を移動させて撮像を行う。
【０１３９】
次に、撮像制御部１１Ａは、撮像位置５ｂにフォーカスレンズの主点がある状態から、撮像位置４ｂの第一の位置側の２つ隣の撮像位置２ｂにフォーカスレンズの主点を移動させて撮像を行う。
【０１４０】
次に、撮像制御部１１Ａは、撮像位置２ｂにフォーカスレンズの主点がある状態から、撮像位置４ｂの第二の位置側の２つ隣の撮像位置６ｂにフォーカスレンズの主点を移動させて撮像を行う。
【０１４１】
次に、撮像制御部１１Ａは、撮像位置６ｂにフォーカスレンズの主点がある状態から、撮像位置４ｂの第一の位置側の３つ隣の撮像位置１ｂにフォーカスレンズの主点を移動させて撮像を行う。
【０１４２】
次に、撮像制御部１１Ａは、撮像位置１ｂにフォーカスレンズの主点がある状態から、撮像位置４ｂの第二の位置側の３つ隣の撮像位置７ｂにフォーカスレンズの主点を移動させて撮像を行う。
【０１４３】
次に、撮像制御部１１Ａは、撮像位置７ｂにフォーカスレンズの主点がある状態から、撮像位置４ｂの第一の位置側の４つ隣の撮像位置ｐ１にフォーカスレンズの主点を移動させて撮像を行う。
【０１４４】
最後に、撮像制御部１１Ａは、撮像位置Ｐ１にフォーカスレンズの主点がある状態から、撮像位置４ｂの第二の位置側の４つ隣の撮像位置ｐ２にフォーカスレンズの主点を移動させて撮像を行い、これによりブラケット撮像制御を完了する。
【０１４５】
以上のように、図１０に示すフォーカスレンズの移動方法によれば、移動範囲Ａ２の中央付近から順番に撮像が行われる。
【０１４６】
このため、ブラケット撮像制御中に撮像終了の指示がなされたり、被写体が動いたりしてブラケット撮像制御が途中で終了される場合でも、ブラケット撮像制御が終了されるまでに得られた撮像画像データを合成することで、被写体全体におおまかに焦点のあった合成画像データを得ることができる。
【０１４７】
例えば、１回目のブラケット撮像制御の実行中に被写体が動いた場合でも、被写体におおまかに焦点のあった合成画像データを得ることができる。この場合、合成画像データの品質は満足いくものとはならない。
【０１４８】
しかし、滅多に撮像することのできない昆虫等を撮像している場合には、その昆虫をある程度の品質で写真として残すことができ、ユーザの満足感を高めることができる。
【０１４９】
図１１は、ブラケット撮像制御を行っている間のフォーカスレンズの主点位置の移動方法の別の例を示す図である。
【０１５０】
図１１では、ブラケット撮像制御で撮像を行う撮像位置として、図５に例示された８つの撮像位置が設定されている場合のフォーカスレンズの移動例を示している。
【０１５１】
ブラケット撮像制御を開始すると、撮像制御部１１Ａは、撮像位置ｐ１と撮像位置ｐ２の間（図１１の例では撮像位置ｐ１と撮像位置ｐ２の中間）の撮像位置４ｂにフォーカスレンズの主点を移動させて撮像を行う。
【０１５２】
次に、撮像制御部１１Ａは、撮像位置４ｂにフォーカスレンズの主点がある状態から、撮像位置ｐ１にフォーカスレンズの主点を移動させて撮像を行う。
【０１５３】
次に、撮像制御部１１Ａは、撮像位置ｐ１にフォーカスレンズの主点がある状態から、撮像位置ｐ２にフォーカスレンズの主点を移動させて撮像を行う。
【０１５４】
次に、撮像制御部１１Ａは、撮像位置ｐ２にフォーカスレンズの主点がある状態から、撮像位置４ｂの第一の位置側の隣の撮像位置３ｂにフォーカスレンズの主点を移動させて撮像を行う。
【０１５５】
次に、撮像制御部１１Ａは、撮像位置３ｂにフォーカスレンズの主点がある状態から、撮像位置４ｂの第二の位置側の隣の撮像位置５ｂにフォーカスレンズの主点を移動させて撮像を行う。
【０１５６】
次に、撮像制御部１１Ａは、撮像位置５ｂにフォーカスレンズの主点がある状態から、撮像位置４ｂの第一の位置側の２つ隣の撮像位置２ｂにフォーカスレンズの主点を移動させて撮像を行う。
【０１５７】
次に、撮像制御部１１Ａは、撮像位置２ｂにフォーカスレンズの主点がある状態から、撮像位置４ｂの第二の位置側の２つ隣の撮像位置６ｂにフォーカスレンズの主点を移動させて撮像を行う。
【０１５８】
次に、撮像制御部１１Ａは、撮像位置６ｂにフォーカスレンズの主点がある状態から、撮像位置４ｂの第一の位置側の３つ隣の撮像位置１ｂにフォーカスレンズの主点を移動させて撮像を行う。
【０１５９】
最後に、撮像制御部１１Ａは、撮像位置１ｂにフォーカスレンズの主点がある状態から、撮像位置４ｂの第二の位置側の３つ隣の撮像位置７ｂにフォーカスレンズの主点を移動させて撮像を行い、これによりブラケット撮像制御を完了する。
【０１６０】
以上のように、図１１に示すフォーカスレンズの移動方法によれば、移動範囲Ａ２の両端付近と中央付近とで優先的に撮像が行われる。
【０１６１】
このため、ブラケット撮像制御中に撮像終了の指示がなされたり、被写体が動いたりしてブラケット撮像制御が途中で終了される場合でも、ブラケット撮像制御が終了されるまでに得られた撮像画像データを合成することで、被写体の前後及び中央に焦点のあった合成画像データを得ることができる。
【０１６２】
この方法によれば、図１０に示す方法よりも被写体全体に焦点を合わせた合成画像データを得られる可能性が高くなる。このため、ブラケット撮像制御が途中で終了する場合に、より高品質の合成画像データを残すことが可能となる。
【０１６３】
図１２は、図１に示すデジタルカメラ１００の機能ブロックの変形例を示す図である。図１０において図２と同じ構成には同一符号を付して説明を省略する。図１２に示すデジタルカメラ１００のハードウェア構成は図１と同じであるため説明は省略する。
【０１６４】
図１２に示すデジタルカメラ１００は、機能ブロックとして、撮像制御部１１Ａと、記憶制御部１１Ｂと、画像処理部１７Ａと、表示制御部１１Ｄと、を備える。
【０１６５】
システム制御部１１は、撮像プログラムを含むプログラムを実行することで撮像制御部１１Ａ、記憶制御部１１Ｂ、及び表示制御部１１Ｄとして機能する。
【０１６６】
表示制御部１１Ｄは、撮像制御部１１Ａによってブラケット撮像制御が行われている場合に、このブラケット撮像制御で設定される撮像位置に基づく情報を、表示制御部２２を介して表示部２３に表示させる。
【０１６７】
ブラケット撮像制御で設定される撮像位置に基づく情報は、この撮像位置の設定数によって決まる撮像回数の情報、又は、この撮像位置同士の間隔を示す情報等を示す文字である。
【０１６８】
図１３は、図１２に示す表示制御部１１Ｄの制御によって表示部２３に表示された情報の一例を示す図である。図１３では、図５に例示された８つの撮像位置を設定する設定情報にしたがってブラケット撮像制御が行われている場合の表示例を示している。
【０１６９】
図１３に示すように、ブラケット撮像制御中は、メインメモリ１６に記憶された撮像画像データがライブビュー画像ＬＶとして表示部２３に表示され、このライブビュー画像ＬＶに画像２３Ａが重畳表示される。
【０１７０】
画像２３Ａには、実行中のブラケット撮像制御で設定されている撮像回数を示す文字“８”と、現時点での実行済みの撮像回数を示す文字“３”とが含まれている。
【０１７１】
図１４は、図１２に示す表示制御部１１Ｄの制御によって表示部２３に表示された情報の一例を示す図である。図１４では、図６に例示された１４個の撮像位置を設定する設定情報にしたがってブラケット撮像制御が行われている場合の表示例を示している。
【０１７２】
図１４に示すように、ブラケット撮像制御中は、メインメモリ１６に記憶された撮像画像データがライブビュー画像ＬＶとして表示部２３に表示され、このライブビュー画像ＬＶに画像２３Ｂが重畳表示される。
【０１７３】
画像２３Ｂには、実行中のブラケット撮像制御で設定されている撮像回数を示す文字“１４”と、現時点での実行済みの撮像回数を示す文字“１”とが含まれている。
【０１７４】
ユーザは、図１３及び図１４に示す画像を確認することで、撮像の進捗状況を把握することができる。例えば、ユーザは、十分な間隔で撮像が行われたと判断した場合には、撮像終了の指示を行ってブラケット撮像制御を終了させるといったことが可能となる。
【０１７５】
このように、画像２３Ａ，２３Ｂが表示されることで、ユーザは適切なタイミングで撮像を終了させることができる。したがって、ユーザにとって不要な撮像が行われるのを防ぐことができ、消費電力の低減及び記憶媒体２１の空き容量の増加が可能になる。
【０１７６】
なお、図１２に示す表示制御部１１Ｄの機能は、図８に示したデジタルカメラ１００に対して付加することも可能である。
【０１７７】
図１、図８、及び図１２に示すデジタルカメラ１００において、撮像制御部１１Ａは、撮像位置同士の間隔が狭いブラケット撮像制御を行う場合ほど、撮像光学系に含まれる絞りのＦ値を小さくすることが好ましい。
【０１７８】
この構成によれば、撮像位置の間隔が広いブラケット撮像制御時には、被写界深度が浅い状態で連続撮像が行われ、撮像位置の間隔が狭いブラケット撮像制御時には、被写界深度が深い状態で連続撮像が行われる。
【０１７９】
このため、Ｋ回のブラケット撮像制御においてＦ値が一定である場合と比較すると、１回のブラケット撮像制御で得られる複数の撮像画像データを合成して得られる合成画像データの解像感をよりシャープなものとすることができ、合成画像データの画質を向上させることができる。
【０１８０】
なお、図１、図８、及び図１２に示すデジタルカメラ１００では、画像処理部１７Ａが合成画像データを生成するものとしている。
【０１８１】
しかし、合成画像データを生成する処理は、デジタルカメラ１００と通信可能なタブレット型端末、スマートフォン、又はパーソナルコンピュータ等の電子機器が、記憶媒体２１に記憶された複数の撮像画像データを取得して行ってもよい。
【０１８２】
また、図１、図８、及び図１２に示すデジタルカメラ１００の撮像制御部１１Ａは、Ｋ回のブラケット撮像制御の各々で行う撮像回数を同一とし、各ブラケット撮像制御において設定する撮像位置の間隔を、後に行うブラケット撮像制御ほど狭く設定してもよい。
【０１８３】
例えば、撮像制御部１１Ａは、１回目のブラケット撮像制御では、フォーカスレンズの主点位置が図４に示す撮像位置Ｐ１，Ｐ２にある状態で撮像を行い、２回目のブラケット撮像制御では、フォーカスレンズの主点位置が図４に示す撮像位置１ａ，３ａにある状態で撮像を行い、３回目のブラケット撮像制御では、フォーカスレンズの主点位置が図５に示す撮像位置２ｂ，５ｂにある状態で撮像を行う。
【０１８４】
このように、複数の撮像位置の間隔を狭くしていきながらブラケット撮像制御を行う場合でも、全ての撮像で得られた撮像画像データを合成して合成画像データを生成することで、撮像が失敗する可能性を減らすことができる。
【０１８５】
次に、本発明の撮像装置の実施形態としてスマートフォンの構成について説明する。
【０１８６】
図１５は、本発明の撮影装置の一実施形態であるスマートフォン２００の外観を示すものである。
【０１８７】
図１５に示すスマートフォン２００は、平板状の筐体２０１を有し、筐体２０１の一方の面に表示部としての表示パネル２０２と、入力部としての操作パネル２０３とが一体となった表示入力部２０４を備えている。
【０１８８】
また、この様な筐体２０１は、スピーカ２０５と、マイクロホン２０６と、操作部２０７と、カメラ部２０８とを備えている。なお、筐体２０１の構成はこれに限定されず、例えば、表示部と入力部とが独立した構成を採用したり、折り畳み構造又はスライド機構を有する構成を採用したりすることもできる。
【０１８９】
図１６は、図１５に示すスマートフォン２００の構成を示すブロック図である。
【０１９０】
図１６に示すように、スマートフォンの主たる構成要素として、無線通信部２１０と、表示入力部２０４と、通話部２１１と、操作部２０７と、カメラ部２０８と、記憶部２１２と、外部入出力部２１３と、ＧＰＳ（Ｇｌｏｂａｌ  Ｐｏｓｉｔｉｏｎｉｎｇ  Ｓｙｓｔｅｍ）受信部２１４と、モーションセンサ部２１５と、電源部２１６と、主制御部２２０とを備える。
【０１９１】
また、スマートフォン２００の主たる機能として、図示省略の基地局装置ＢＳと図示省略の移動通信網ＮＷとを介した移動無線通信を行う無線通信機能を備える。
【０１９２】
無線通信部２１０は、主制御部２２０の指示にしたがって、移動通信網ＮＷに収容された基地局装置ＢＳに対し無線通信を行うものである。この無線通信を使用して、音声データ、画像データ等の各種ファイルデータ、電子メールデータ等の送受信、ウェブデータ又はストリーミングデータ等の受信を行う。
【０１９３】
表示入力部２０４は、主制御部２２０の制御により、画像（静止画像及び動画像）又は文字情報等を表示して視覚的にユーザに情報を伝達するとともに、表示した情報に対するユーザ操作を検出する、いわゆるタッチパネルであって、表示パネル２０２と、操作パネル２０３とを備える。
【０１９４】
表示パネル２０２は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）等を表示デバイスとして用いたものである。
【０１９５】
操作パネル２０３は、表示パネル２０２の表示面上に表示される画像を視認可能に載置され、ユーザの指又は尖筆によって操作される一又は複数の座標を検出するデバイスである。このデバイスをユーザの指又は尖筆によって操作すると、操作に起因して発生する検出信号を主制御部２２０に出力する。次いで、主制御部２２０は、受信した検出信号に基づいて、表示パネル２０２上の操作位置（座標）を検出する。
【０１９６】
図１６に示すように、本発明の撮影装置の一実施形態として例示しているスマートフォン２００の表示パネル２０２と操作パネル２０３とは一体となって表示入力部２０４を構成しているが、操作パネル２０３が表示パネル２０２を完全に覆うような配置となっている。
【０１９７】
係る配置を採用した場合、操作パネル２０３は、表示パネル２０２外の領域についても、ユーザ操作を検出する機能を備えてもよい。換言すると、操作パネル２０３は、表示パネル２０２に重なる重畳部分についての検出領域（以下、表示領域と称する）と、それ以外の表示パネル２０２に重ならない外縁部分についての検出領域（以下、非表示領域と称する）とを備えていてもよい。
【０１９８】
なお、表示領域の大きさと表示パネル２０２の大きさとを完全に一致させても良いが、両者を必ずしも一致させる必要は無い。また、操作パネル２０３が、外縁部分と、それ以外の内側部分の２つの感応領域を備えていてもよい。さらに、外縁部分の幅は、筐体２０１の大きさ等に応じて適宜設計されるものである。
【０１９９】
さらにまた、操作パネル２０３で採用される位置検出方式としては、マトリクススイッチ方式、抵抗膜方式、表面弾性波方式、赤外線方式、電磁誘導方式、静電容量方式等が挙げられ、いずれの方式を採用することもできる。
【０２００】
通話部２１１は、スピーカ２０５又はマイクロホン２０６を備え、マイクロホン２０６を通じて入力されたユーザの音声を主制御部２２０にて処理可能な音声データに変換して主制御部２２０に出力したり、無線通信部２１０あるいは外部入出力部２１３により受信された音声データを復号してスピーカ２０５から出力させたりするものである。
【０２０１】
また、図１５に示すように、例えば、スピーカ２０５を表示入力部２０４が設けられた面と同じ面に搭載し、マイクロホン２０６を筐体２０１の側面に搭載することができる。
【０２０２】
操作部２０７は、キースイッチ等を用いたハードウェアキーであって、ユーザからの指示を受け付けるものである。例えば、図１５に示すように、操作部２０７は、スマートフォン２００の筐体２０１の側面に搭載され、指等で押下されるとオンとなり、指を離すとバネ等の復元力によってオフ状態となる押しボタン式のスイッチである。
【０２０３】
記憶部２１２は、主制御部２２０の制御プログラム及び制御データ、アプリケーションソフトウェア、通信相手の名称又は電話番号等を対応づけたアドレスデータ、送受信した電子メールのデータ、ＷｅｂブラウジングによりダウンロードしたＷｅｂデータ、ダウンロードしたコンテンツデータを記憶し、またストリーミングデータ等を一時的に記憶するものである。また、記憶部２１２は、スマートフォン内蔵の内部記憶部２１７と着脱自在な外部メモリスロットを有する外部記憶部２１８により構成される。
【０２０４】
なお、記憶部２１２を構成するそれぞれの内部記憶部２１７と外部記憶部２１８は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等の格納媒体を用いて実現される。
【０２０５】
外部入出力部２１３は、スマートフォン２００に連結される全ての外部機器とのインターフェースの役割を果たすものであり、他の外部機器に通信等（例えば、ユニバーサルシリアルバス（ＵＳＢ）、ＩＥＥＥ１３９４等）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）等）により直接的又は間接的に接続するためのものである。
【０２０６】
スマートフォン２００に連結される外部機器としては、例えば、有／無線ヘッドセット、有／無線外部充電器、有／無線データポート、カードソケットを介して接続されるメモリカード（Ｍｅｍｏｒｙ  ｃａｒｄ）、ＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン、有／無線接続されるパーソナルコンピュータ、有／無線接続されるパーソナルコンピュータ、イヤホン等がある。
【０２０７】
外部入出力部２１３は、このような外部機器から伝送を受けたデータをスマートフォン２００の内部の各構成要素に伝達したり、スマートフォン２００の内部のデータが外部機器に伝送されるようにしたりすることができる。
【０２０８】
ＧＰＳ受信部２１４は、主制御部２２０の指示にしたがって、ＧＰＳ衛星ＳＴ１〜ＳＴｎから送信されるＧＰＳ信号を受信し、受信した複数のＧＰＳ信号に基づく測位演算処理を実行し、スマートフォン２００の緯度、経度、高度からなる位置を検出する。ＧＰＳ受信部２１４は、無線通信部２１０又は外部入出力部２１３（例えば、無線ＬＡＮ）から位置情報を取得できる時には、その位置情報を用いて位置を検出することもできる。
【０２０９】
モーションセンサ部２１５は、例えば、３軸の加速度センサ等を備え、主制御部２２０の指示にしたがって、スマートフォン２００の物理的な動きを検出する。スマートフォン２００の物理的な動きを検出することにより、スマートフォン２００の動く方向又は加速度が検出される。係る検出結果は、主制御部２２０に出力されるものである。
【０２１０】
電源部２１６は、主制御部２２０の指示にしたがって、スマートフォン２００の各部に、バッテリ（図示しない）に蓄えられる電力を供給するものである。
【０２１１】
主制御部２２０は、マイクロプロセッサを備え、記憶部２１２が記憶する制御プログラム及び制御データにしたがって動作し、スマートフォン２００の各部を統括して制御するものである。また、主制御部２２０は、無線通信部２１０を通じて、音声通信又はデータ通信を行うために、通信系の各部を制御する移動通信制御機能と、アプリケーション処理機能を備える。
【０２１２】
アプリケーション処理機能は、記憶部２１２が記憶するアプリケーションソフトウェアにしたがって主制御部２２０が動作することにより実現するものである。アプリケーション処理機能としては、例えば、外部入出力部２１３を制御して対向機器とデータ通信を行う赤外線通信機能、電子メールの送受信を行う電子メール機能、又はウェブページを閲覧するウェブブラウジング機能等がある。
【０２１３】
また、主制御部２２０は、受信データ又はダウンロードしたストリーミングデータ等の画像データ（静止画像又は動画像のデータ）に基づいて、映像を表示入力部２０４に表示する等の画像処理機能を備える。
【０２１４】
画像処理機能とは、主制御部２２０が、上記画像データを復号し、この復号結果に画像処理を施して、画像を表示入力部２０４に表示する機能のことをいう。
【０２１５】
さらに、主制御部２２０は、表示パネル２０２に対する表示制御と、操作部２０７、操作パネル２０３を通じたユーザ操作を検出する操作検出制御を実行する。
【０２１６】
表示制御の実行により、主制御部２２０は、アプリケーションソフトウェアを起動するためのアイコン又はスクロールバー等のソフトウェアキーを表示したり、あるいは電子メールを作成したりするためのウィンドウを表示する。
【０２１７】
なお、スクロールバーとは、表示パネル２０２の表示領域に収まりきれない大きな画像等について、画像の表示部分を移動する指示を受け付けるためのソフトウェアキーのことをいう。
【０２１８】
また、操作検出制御の実行により、主制御部２２０は、操作部２０７を通じたユーザ操作を検出したり、操作パネル２０３を通じて、上記アイコンに対する操作と上記ウィンドウの入力欄に対する文字列の入力を受け付けたり、あるいは、スクロールバーを通じた表示画像のスクロール要求を受け付けたりする。
【０２１９】
さらに、操作検出制御の実行により主制御部２２０は、操作パネル２０３に対する操作位置が、表示パネル２０２に重なる重畳部分（表示領域）か、それ以外の表示パネル２０２に重ならない外縁部分（非表示領域）かを判定し、操作パネル２０３の感応領域又はソフトウェアキーの表示位置を制御するタッチパネル制御機能を備える。
【０２２０】
また、主制御部２２０は、操作パネル２０３に対するジェスチャ操作を検出し、検出したジェスチャ操作に応じて、予め設定された機能を実行することもできる。
【０２２１】
ジェスチャ操作とは、従来の単純なタッチ操作ではなく、指等によって軌跡を描いたり、複数の位置を同時に指定したり、あるいはこれらを組み合わせて、複数の位置から少なくとも１つについて軌跡を描く操作を意味する。
【０２２２】
カメラ部２０８は、図１に示したデジタルカメラにおける外部メモリ制御部２０、記憶媒体２１、表示制御部２２、表示部２３、及び操作部１４以外の構成を含む。
【０２２３】
カメラ部２０８によって生成された撮像画像データは、記憶部２１２に記憶したり、外部入出力部２１３又は無線通信部２１０を通じて出力したりすることができる。
【０２２４】
図１５に示すスマートフォン２００において、カメラ部２０８は表示入力部２０４と同じ面に搭載されているが、カメラ部２０８の搭載位置はこれに限らず、表示入力部２０４の背面に搭載されてもよい。
【０２２５】
また、カメラ部２０８はスマートフォン２００の各種機能に利用することができる。例えば、表示パネル２０２にカメラ部２０８で取得した画像を表示したり、操作パネル２０３の操作入力のひとつとして、カメラ部２０８の画像を利用したりすることができる。
【０２２６】
また、ＧＰＳ受信部２１４が位置を検出する際に、カメラ部２０８からの画像を参照して位置を検出することもできる。さらには、カメラ部２０８からの画像を参照して、３軸の加速度センサを用いずに、或いは、３軸の加速度センサと併用して、スマートフォン２００のカメラ部２０８の光軸方向を判断したり、現在の使用環境を判断したりすることもできる。勿論、カメラ部２０８からの画像をアプリケーションソフトウェア内で利用することもできる。
【０２２７】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等を付加して記憶部２１２に記憶したり、外部入出力部２１３又は無線通信部２１０を通じて出力したりすることもできる。
【０２２８】
以上のような構成のスマートフォン２００においても、失敗の少ないフォーカスブラケット撮像が可能となる。
【０２２９】
以上説明してきたように、本明細書には以下の事項が開示されている。
【０２３０】
（１）
光軸方向の第一の位置と第二の位置の間の範囲で主点の位置を変更可能なフォーカスレンズを含む撮像光学系を通して被写体を撮像する撮像素子と、上記範囲の少なくとも一部の範囲である移動範囲に設定した複数の撮像位置の各々に上記フォーカスレンズの主点を合わせた状態で上記撮像素子により上記撮像光学系を通して被写体を撮像する撮像制御を複数回続けて行う撮像制御部と、を備え、上記撮像制御部は、上記複数回の撮像制御のうち時系列で後に実施するものほど、上記複数の撮像位置同士の間隔を狭くする撮像装置。
【０２３１】
（２）
（１）記載の撮像装置であって、上記撮像制御部は、上記複数回の撮像制御のうち時系列で後に実施するものほど、上記複数の撮像位置の数を多く設定する撮像装置。
【０２３２】
（３）
（１）又は（２）記載の撮像装置であって、上記複数の撮像位置は、第一の撮像位置と、第二の撮像位置と、上記第一の撮像位置と上記第二の撮像位置の間の少なくとも１つの第三の撮像位置であり、上記撮像制御部は、上記撮像制御を実施する場合に、上記第三の撮像位置に上記フォーカスレンズの主点を合わせて上記撮像素子により最初の撮像を行い、その後は、上記第三の撮像位置よりも上記第一の撮像位置側に設定された撮像位置と、上記第三の撮像位置よりも上記第二の撮像位置側に設定された撮像位置とで交互に上記フォーカスレンズの主点を合わせながら撮像を行う撮像装置。
【０２３３】
（４）
（３）記載の撮像装置であって、上記撮像制御部は、上記撮像制御を実施する場合に、上記最初の撮像を行った後、上記第一の撮像位置に上記フォーカスレンズの主点を合わせて上記撮像素子により２回目の撮像を行い、その後、上記第二の撮像位置に上記フォーカスレンズの主点を合わせて上記撮像素子により３回目の撮像を行い、その後は、上記第三の撮像位置よりも上記第一の位置側に設定された撮像位置と、上記第三の撮像位置よりも上記第二の位置側に設定された撮像位置とで交互に上記フォーカスレンズの主点を合わせながら撮像を行う撮像装置。
【０２３４】
（５）
（１）〜（４）のいずれか１つに記載の撮像装置であって、上記撮像光学系は絞りを含み、上記撮像制御部は、上記複数の撮像位置同士の間隔が狭いほど上記絞りのＦ値を小さくして上記被写体の撮像を行う撮像装置。
【０２３５】
（６）
（１）〜（５）のいずれか１つに記載の撮像装置であって、上記撮像制御によって得られる撮像画像データに基づいて撮像中の被写体の動きを検出する動き検出部を更に備え、上記撮像制御部は、上記動き検出部によって被写体の動きが検出された場合に上記撮像制御を終了する撮像装置。
【０２３６】
（７）
（１）〜（６）のいずれか１つに記載の撮像装置であって、上記撮像制御が実施されている場合に、上記撮像制御部が設定している上記複数の撮像位置に基づく情報を表示部に表示させる表示制御部を更に備える撮像装置。
【０２３７】
（８）
（１）〜（７）のいずれか１つに記載の撮像装置であって、完了済みの上記撮像制御のうち上記複数の撮像位置同士の間隔が最も狭い上記撮像制御により得られた撮像画像データを記憶媒体に記憶する記憶制御部を更に備える撮像装置。
【０２３８】
（９）
（１）〜（７）のいずれか１つに記載の撮像装置であって、上記撮像制御により得られた全ての撮像画像データを記憶媒体に記憶する記憶制御部を更に備える撮像装置。
【０２３９】
（１０）
（９）記載の撮像装置であって、上記全ての上記撮像画像データを合成して、深度合成された画像データを生成する画像処理部を更に備える撮像装置。
【０２４０】
（１１）
（９）又は（１０）記載の撮像装置であって、上記複数回の撮像制御の各々において上記移動範囲に設定される上記撮像位置は全て異なる撮像装置。
【０２４１】
（１２）
光軸方向の第一の位置と第二の位置の間の範囲で主点の位置を変更可能なフォーカスレンズを含む撮像光学系を通して被写体を撮像する撮像素子を用いた撮像方法であって、上記範囲の少なくとも一部の範囲である移動範囲に設定した複数の撮像位置の各々に上記フォーカスレンズの主点を合わせた状態で上記撮像素子により上記撮像光学系を通して被写体を撮像する撮像制御を複数回続けて行う撮像制御ステップを備え、上記撮像制御ステップでは、上記複数回の撮像制御のうち時系列で後に実施するものほど、上記複数の撮像位置同士の間隔を狭くする撮像方法。
【０２４２】
（１３）
（１２）記載の撮像方法であって、上記撮像制御ステップでは、上記複数回の撮像制御のうち時系列で後に実施するものほど、上記複数の撮像位置の数を多く設定する撮像方法。
【０２４３】
（１４）
（１２）又は（１３）記載の撮像方法であって、上記複数の合焦位置は、第一の撮像位置と、第二の撮像位置と、上記第一の撮像位置と上記第二の撮像位置の間の少なくとも１つの第三の撮像位置であり、上記撮像制御ステップでは、上記撮像制御を実施する場合に、上記第三の撮像位置に上記フォーカスレンズの主点を合わせて上記撮像素子により最初の撮像を行い、その後は、上記第三の撮像位置よりも上記第一の撮像位置側に設定された撮像位置と、上記第三の撮像位置よりも上記第二の撮像位置側に設定された撮像位置とで交互に上記フォーカスレンズの主点を合わせながら撮像を行う撮像方法。
【０２４４】
（１５）
（１４）記載の撮像方法であって、上記撮像制御ステップでは、上記撮像制御を実施する場合に、上記最初の撮像を行った後、上記第一の撮像位置に上記フォーカスレンズの主点を合わせて上記撮像素子により２回目の撮像を行い、その後、上記第二の撮像位置に上記フォーカスレンズの主点を合わせて上記撮像素子により３回目の撮像を行い、その後は、上記第三の撮像位置よりも上記第一の位置側に設定された撮像位置と、上記第三の撮像位置よりも上記第二の位置側に設定された撮像位置とで交互に上記フォーカスレンズの主点を合わせながら撮像を行う撮像方法。
【０２４５】
（１６）
（１２）〜（１５）のいずれか１つに記載の撮像方法であって、上記撮像光学系は絞りを含み、上記撮像制御ステップでは、上記複数の撮像位置同士の間隔が狭いほど上記絞りのＦ値を小さくして上記被写体の撮像を行う撮像方法。
【０２４６】
（１７）
（１２）〜（１６）のいずれか１つに記載の撮像方法であって、上記撮像制御によって得られる撮像画像データに基づいて撮像中の被写体の動きを検出する動き検出ステップを更に備え、上記撮像制御ステップでは、上記動き検出ステップによって被写体の動きが検出された場合に上記撮像制御を終了する撮像方法。
【０２４７】
（１８）
（１２）〜（１７）のいずれか１つに記載の撮像方法であって、上記撮像制御が実施されている場合に、上記撮像制御ステップで設定している上記複数の撮像位置に基づく情報を表示部に表示させる表示制御ステップを更に備える撮像方法。
【０２４８】
（１９）
（１２）〜（１８）のいずれか１つに記載の撮像方法であって、完了済みの上記撮像制御のうち上記複数の撮像位置同士の間隔が最も狭い上記撮像制御により得られた撮像画像データを記憶媒体に記憶する記憶制御ステップを更に備える撮像方法。
【０２４９】
（２０）
（１２）〜（１８）のいずれか１つに記載の撮像方法であって、上記撮像制御により得られた全ての撮像画像データを記憶媒体に記憶する記憶制御ステップを更に備える撮像方法。
【０２５０】
（２１）
（２０）記載の撮像方法であって、上記全ての上記撮像画像データを合成して、深度合成された画像データを生成する画像処理ステップを更に備える撮像方法。
【０２５１】
（２２）
（２０）又は（２１）記載の撮像方法であって、上記複数回の撮像制御の各々において上記移動範囲に設定される上記撮像位置は全て異なる撮像方法。
【０２５２】
（２３）
光軸方向の第一の位置と第二の位置の間の範囲で主点の位置を変更可能なフォーカスレンズを含む撮像光学系を通して被写体を撮像する撮像素子を用いた撮像方法をコンピュータに実行させるための撮像プログラムであって、上記撮像方法は、上記範囲の少なくとも一部の範囲である移動範囲に設定した複数の撮像位置の各々に上記フォーカスレンズの主点を合わせた状態で上記撮像素子により上記撮像光学系を通して被写体を撮像する撮像制御を複数回続けて行う撮像制御ステップを備え、上記撮像制御ステップでは、上記複数回の撮像制御のうち時系列で後に実施するものほど、上記複数の撮像位置同士の間隔を狭くする撮像プログラム。
【産業上の利用可能性】
【０２５３】
本発明によれば、フォーカスブラケットモードでの撮像失敗の可能性を減らすことのできる撮像装置、撮像方法、及び撮像プログラムを提供することができる。【０２５４】
以上、本発明を特定の実施形態によって説明したが、本発明はこの実施形態に限定されるものではなく、開示された発明の技術思想を逸脱しない範囲で種々の変更が可能である。
本出願は、２０１７年３月１５日出願の日本特許出願（特願２０１７−０５０２７０）に基づくものであり、その内容はここに取り込まれる。
【符号の説明】
【０２５５】
１  撮像レンズ
２  絞り
４  レンズ制御部
５  撮像素子
６  アナログ信号処理部
７  アナログデジタル変換回路
８  レンズ駆動部
９  絞り駆動部
１０  撮像素子駆動部
１１  システム制御部
１１Ａ  撮像制御部
１１Ｂ  記憶制御部
１１Ｃ  動き検出部
１１Ｄ  表示制御部
１４  操作部
１５  メモリ制御部
１６  メインメモリ
１７  デジタル信号処理部
１７Ａ  画像処理部
２０  外部メモリ制御部
２１  記憶媒体
２２  表示制御部
２３  表示部
２４  制御バス
２５  データバス
４０  レンズ装置
ＬＶ  ライブビュー画像
Ｈ  昆虫
ＡＦ１，ＡＦ２  エリア
Ａ１  可動範囲
Ａ２  移動範囲
Ｐ１，Ｐ２  撮像位置
１ａ〜３ａ  撮像位置
ｐ１，ｐ２  撮像位置
１ｂ〜６ｂ  撮像位置
１ｃ〜１３ｃ  撮像位置
２３Ａ，２３Ｂ  画像
２００  スマートフォン
２０１  筐体
２０２  表示パネル
２０３  操作パネル
２０４  表示入力部
２０５  スピーカ
２０６  マイクロホン
２０７  操作部
２０８  カメラ部
２１０  無線通信部
２１１  通話部
２１２  記憶部
２１３  外部入出力部
２１４  ＧＰＳ受信部
２１５  モーションセンサ部
２１６  電源部
２１７  内部記憶部
２１８  外部記憶部
２２０  主制御部
ＳＴ１〜ＳＴｎ  ＧＰＳ衛星
【図１】
0006582153.tif 000002
【図２】
0006582153.tif 000003
【図３】
0006582153.tif 000004
【図４】
0006582153.tif 000005
【図５】
0006582153.tif 000006
【図６】
0006582153.tif 000007
【図７】
0006582153.tif 000008
【図８】
0006582153.tif 000009
【図９】
0006582153.tif 000010
【図１０】
0006582153.tif 000011
【図１１】
0006582153.tif 000012
【図１２】
0006582153.tif 000013
【図１３】
0006582153.tif 000014
【図１４】
0006582153.tif 000015
【図１５】
0006582153.tif 000016
【図１６】
0006582153.tif 000017